(57)【要約】【課題】携帯電子機器に組み合わせられて携帯電子機器の新しいフォームファクタを実現する拡張モジュール及びこれを備えた携帯電子機器、並びに拡張モジュールと携帯電子機器の本体とをより容易に結合又は分離するメカニズムを提供する。【解決手段】携帯電子機器１００は、ディスプレイ部１１３が備えられて磁性体（締結要素１２１）が取り付けられる本体１１０、及び本体１１０に電気的に接続される拡張モジュール２００から構成され、拡張モジュール２００は、本体１１０の一面に着脱可能に結合される拡張本体２１０と、拡張本体２１０に備えられ、拡張本体２１０が本体１１０に結合されると前記磁性体に磁気力を加えるように、前記磁性体と対応して配置されるマグネット２２１と、前記磁気力を緩和するように、操作によってマグネット２２１を前記磁性体と反対方向に移動させる移動メカニズム２３０とを含む。【選択図】図３
2011187043.tif 000002
【特許請求の範囲】
【請求項１】
締結要素が取り付けられる本体と、
前記本体に電気的に接続される拡張モジュールとから構成され、
前記拡張モジュールは、
前記拡張モジュールを前記本体に結合させる前記締結要素に磁気力を加えるマグネットと、
前記マグネットを前記締結要素から遠ざかるように移動させて前記マグネットと前記締結要素間の磁気力を減少させることにより、前記拡張モジュールを前記本体から分離する移動コンバータと
から構成されることを特徴とする携帯電子機器。
【請求項２】
前記締結要素は、前記マグネットを含むマグネットケースに形成される接続突起に対応して配置される溝を有する磁性体を含むことを特徴とする請求項１に記載の携帯電子機器。
【請求項３】
前記本体に形成される接続領域と、
前記拡張モジュールに形成され、前記拡張モジュールが前記本体に結合されると前記接続領域と電気的に接続される拡張接続領域と
をさらに含むことを特徴とする請求項１に記載の携帯電子機器。
【請求項４】
前記接続領域及び前記拡張接続領域には、それぞれ前記本体と前記拡張モジュール間のデータ又は電源の入出力のためのインタフェースが配置されることを特徴とする請求項３に記載の携帯電子機器。
【請求項５】
前記インタフェースは、前記接続領域及び前記拡張接続領域から突出し、前記拡張モジュールが前記本体に結合されると各端部が互いに付勢する接続端子を含むことを特徴とする請求項４に記載の携帯電子機器。
【請求項６】
前記本体は、前記締結要素が挿入される挿入孔を含み、
前記拡張モジュールが前記本体に結合されると、前記マグネットの一部又は前記マグネットを含むマグネットケースの一部が前記挿入孔に挿入されることを特徴とする請求項３に記載の携帯電子機器。
【請求項７】
前記本体は、接続部を含み、
前記接続部は、
前記本体から突出する複数の接続端子と、
前記接続端子を囲む遮蔽部とから構成され、
前記遮蔽部は、
前記拡張モジュールが前記本体に結合されると加圧されて前記接続端子を露出させ、前記拡張モジュールと前記接続端子間の電気的接続を可能にすることを特徴とする請求項１に記載の携帯電子機器。
【請求項８】
前記拡張モジュールは、前記マグネットのスライドを可能にするスライドガイド部をさらに含むことを特徴とする請求項１に記載の携帯電子機器。
【請求項９】
前記スライドガイド部は、
前記マグネットを含むマグネットケースと、
前記マグネットケースが前記締結要素に近づく方向又は前記締結要素から遠ざかる方向にスライド可能にする中空体と
を含むことを特徴とする請求項８に記載の携帯電子機器。
【請求項１０】
前記スライドガイド部は、
前記マグネットケースの少なくとも一部を支持し、前記マグネットケースを前記締結要素の反対方向に付勢する弾性部材をさらに含むことを特徴とする請求項９に記載の携帯電子機器。
【請求項１１】
前記中空体は、前記拡張モジュールに取り付けられ、前記中空体の開口と隣接する面にプロファイル部材が形成されることを特徴とする請求項９に記載の携帯電子機器。
【請求項１２】
前記移動コンバータは、
前記拡張モジュールの一側に備えられる操作部材と、
前記操作部材の操作によって前記マグネットを回転させる回転生成部と、
前記マグネットが回転すると前記マグネットを前記マグネットの回転の軸方向にスライドさせるスライド生成部と
を含むことを特徴とする請求項１に記載の携帯電子機器。
【請求項１３】
前記回転生成部は、
外周の少なくとも一部が前記操作部材に接続されて回転する回転板と、
一端が前記回転板と接続され、他端が前記マグネットを含むマグネットケースと接続される接続バーと
を含むことを特徴とする請求項１２に記載の携帯電子機器。
【請求項１４】
前記スライド生成部は、
前記マグネットケースの外周から突出する突起と、
前記突起が収容され、前記突起が回転すると前記マグネットケースが前記軸方向にスライドするように、前記マグネットケースの外周に沿って傾斜して形成されるプロファイル部材と
を含むことを特徴とする請求項１３に記載の携帯電子機器。
【請求項１５】
前記本体は、
ディスプレイ部が備えられるフロントケースと、
前記拡張モジュールの一面と結合されるリアケースとから構成され、
前記締結要素が、前記本体のリアケースに備えられる磁性体であることを特徴とする請求項１に記載の携帯電子機器。
【請求項１６】
前記拡張モジュールは、
前記本体に結合される支持台と、
前記拡張モジュールの支持台が前記本体に結合されると前記本体に制御命令を入力するように構成される入力装置と
をさらに含むことを特徴とする請求項１に記載の携帯電子機器。
【請求項１７】
前記拡張モジュールは、
前記拡張モジュールが前記本体に結合されると前記本体に電源を供給する外部バッテリをさらに含むことを特徴とする請求項１に記載の携帯電子機器。
【発明の詳細な説明】
【技術分野】
【０００１】
本発明は、携帯電子機器の機能を拡張するための拡張モジュール及び拡張モジュールを備えた携帯電子機器に関する。
【背景技術】
【０００２】
携帯電子機器は、携帯が可能であり、かつ音声通話及びテレビ電話機能、情報入出力機能、並びにデータ保存機能などを少なくとも１つ備えた電子機器である。
【０００３】
携帯電子機器は、機能が多様化することにより、例えば写真や動画像の撮影、音楽や動画像ファイルの再生、ゲーム、放送受信などの複雑な機能を備えたマルチメディア機器の形で実現されている。
【０００４】
このようなマルチメディア機器に対しては、複雑な機能を実現するために、ハードウェア又はソフトウェア面で新しい様々な試みがなされている。一例として、ユーザに機能を容易かつ便利に検索又は選択させるためのユーザインタフェース環境が提供されている。
【発明の概要】
【発明が解決しようとする課題】
【０００５】
しかしながら、携帯電子機器の携帯性を考慮すると、携帯電子機器のバッテリ容量が少なくなったり、様々なユーザインタフェースを提供する機器の取り付けが困難になったりするなどの制限を伴う。従って、携帯電子機器の機能を拡張するための拡張モジュールが提案されており、前記拡張モジュールと前記携帯電子機器の本体とを結合又は分離する装置が考案されている。
【０００６】
そこで、本発明は、携帯電子機器に組み合わせられて前記携帯電子機器の新しいフォームファクタを実現する拡張モジュール及びこれを備えた携帯電子機器を提供することを目的とする。
【０００７】
本発明の他の目的は、拡張モジュールと携帯電子機器の本体とをより容易に結合又は分離するメカニズムを提供することにある。
【課題を解決するための手段】
【０００８】
上記の目的を達成するために、本発明の一態様は、締結要素が取り付けられる本体と、前記本体に電気的に接続される拡張モジュールとから構成され、前記拡張モジュールは、前記拡張モジュールを前記本体に結合させる前記締結要素に磁気力を加えるマグネットと、前記マグネットを前記締結要素から遠ざかるように移動させて前記マグネットと前記締結要素間の磁気力を減少させることにより、前記拡張モジュールを前記本体から分離する移動コンバータとから構成される携帯電子機器を提供する。
【０００９】
本発明の一実施形態によれば、前記締結要素は、前記マグネットを含むマグネットケースに形成される接続突起に対応して配置される溝を有する磁性体を含む。前記本体に形成される接続領域と、前記拡張モジュールに形成され、前記拡張モジュールが前記本体に結合されると前記接続領域と電気的に接続される拡張接続領域とをさらに含む。
【００１０】
本発明の他の実施形態によれば、前記接続領域及び前記拡張接続領域には、それぞれ前記本体と前記拡張モジュール間のデータ又は電源の入出力のためのインタフェースが配置される。前記インタフェースは、前記接続領域及び前記拡張接続領域から突出し、前記拡張モジュールが前記本体に結合されると各端部が互いに付勢する接続端子を含む。
【００１１】
本発明のさらに他の実施形態によれば、前記本体は、前記締結要素が挿入される挿入孔を含み、前記拡張モジュールが前記本体に結合されると、前記マグネットの一部又は前記マグネットを含むマグネットケースの一部が前記挿入孔に挿入される。
【００１２】
本発明のさらに他の実施形態によれば、前記本体は、接続部を含み、前記接続部は、前記本体から突出する複数の接続端子と、前記接続端子を囲む遮蔽部とから構成され、前記遮蔽部は、前記拡張モジュールが前記本体に結合されると加圧されて前記接続端子を露出させ、前記拡張モジュールと前記接続端子間の電気的接続を可能にする。
【００１３】
本発明のさらに他の実施形態によれば、前記拡張モジュールは、前記マグネットのスライドを可能にするスライドガイド部をさらに含む。前記スライドガイド部は、前記マグネットを含むマグネットケースと、前記マグネットケースが前記締結要素に近づく方向又は前記締結要素から遠ざかる方向にスライド可能にする中空体とを含む。
【００１４】
本発明のさらに他の実施形態によれば、前記スライドガイド部は、前記マグネットケースの少なくとも一部を支持し、前記マグネットケースを前記締結要素の反対方向に付勢する弾性部材をさらに含む。前記中空体は、前記拡張モジュールに取り付けられ、前記中空体の開口と隣接する面にプロファイル部材が形成される。
【００１５】
本発明のさらに他の実施形態によれば、前記移動コンバータは、前記拡張モジュールの一側に備えられる操作部材と、前記操作部材の操作によって前記マグネットを回転させる回転生成部と、前記マグネットが回転すると前記マグネットを前記マグネットの回転の軸方向にスライドさせるスライド生成部とを含む。
【００１６】
本発明のさらに他の実施形態によれば、前記回転生成部は、外周の少なくとも一部が前記操作部材に接続されて回転する回転板と、一端が前記回転板と接続され、他端が前記マグネットを含むマグネットケースと接続される接続バーとを含む。前記スライド生成部は、前記マグネットケースの外周から突出する突起と、前記突起が収容され、前記突起が回転すると前記マグネットケースが前記軸方向にスライドするように、前記マグネットケースの外周に沿って傾斜して形成されるプロファイル部材とを含む。
【００１７】
本発明のさらに他の実施形態によれば、前記本体は、ディスプレイ部が備えられるフロントケースと、前記拡張モジュールの一面と結合されるリアケースとから構成され、前記締結要素が、前記本体のリアケースに備えられる磁性体である。前記拡張モジュールは、前記本体に結合される支持台と、前記拡張モジュールの支持台が前記本体に結合されると前記本体に制御命令を入力するように構成される入力装置とをさらに含む。
【００１８】
本発明のさらに他の実施形態によれば、前記拡張モジュールは、前記拡張モジュールが前記本体に結合されると前記本体に電源を供給する外部バッテリをさらに含む。
【発明の効果】
【００１９】
本発明による拡張モジュールは、マグネットがスライドすることにより、携帯電子機器の本体への結合及び携帯電子機器の本体からの分離がより容易な着脱メカニズムを形成する。本発明による着脱メカニズムは、拡張モジュールのマグネットと携帯電子機器の締結要素の磁気力を利用することにより、さらに簡単な構造からなる。
【００２０】
また、本発明は、締結要素の周辺領域を利用して拡張モジュールと携帯電子機器の電気的接続を行うことにより、外部への露出が少ない接続メカニズムを実現する。
【図面の簡単な説明】
【００２１】
【図１】本発明の一実施形態による携帯電子機器を示す斜視図である。
【図２】図１の携帯電子機器の背面斜視図である。
【図３】図１の携帯電子機器に拡張モジュールを取り付ける様子を示す組立図である。
【図４】図３の拡張モジュールの部分分解図である。
【図５】図４のプロファイル部材の拡大図である。
【図６Ａ】図３の携帯電子機器と拡張モジュールの着脱を示す部分断面図である。
【図６Ｂ】図３の携帯電子機器と拡張モジュールの着脱を示す部分断面図である。
【図６Ｃ】図３の携帯電子機器と拡張モジュールの着脱を示す部分断面図である。
【図７】図３の移動メカニズムの平面図である。
【図８Ａ】本発明の他の実施形態による携帯電子機器を示す断面図である。
【図８Ｂ】本発明の他の実施形態による携帯電子機器を示す拡大図である。
【図８Ｃ】本発明の他の実施形態による携帯電子機器を示す拡大図である。
【図９Ａ】本発明のさらに他の実施形態による携帯電子機器を示す拡大図である。
【図９Ｂ】本発明のさらに他の実施形態による携帯電子機器を示す拡大図である。
【図１０】本発明のさらに他の実施形態による携帯電子機器を示す組立図である。
【図１１Ａ】本発明のさらに他の実施形態による携帯電子機器を示す斜視図である。
【図１１Ｂ】本発明のさらに他の実施形態による携帯電子機器を示す組立図である。
【発明を実施するための形態】
【００２２】
以下、本発明による携帯電子機器の好ましい実施形態について添付図面を参照して詳細に説明する。以下の説明で用いられる構成要素の接尾辞である「モジュール」及び「部」は、明細書の作成を容易にするために付与又は混用されるものであり、それ自体が有意性や有用性を有するものではない。
【００２３】
本明細書においては、異なる実施形態であっても同一又は類似の構成要素には同一又は類似の符号を付し、その説明は最初の説明を援用する。本明細書で用いられる単数の表現は、文脈上明らかに他を意味しない限り、複数の表現を含む。
【００２４】
本明細書で説明される携帯電子機器には、ラップトップコンピュータ、タブレットＰＣ、携帯電話、スマートフォン、デジタル放送端末機、携帯情報端末（Personal Digital Assistants；ＰＤＡ）、ポータブルマルチメディアプレーヤ（Portable Multimedia Player；ＰＭＰ）、ナビゲーションなどが含まれる。
【００２５】
図１は、本発明の一実施形態による携帯電子機器１００を示す斜視図であり、携帯電子機器の一例としてタブレットＰＣを示す。
【００２６】
同図に示す携帯電子機器１００は、１つの本体１１０を備えている。ただし、本発明は、これに限定されるものではなく、２つ以上の本体が相対移動可能に結合される携帯電子機器など、様々な構造に適用可能である。
【００２７】
本体１１０は、携帯電子機器１００の外観を形成するケース（ケーシング、ハウジング、カバーなど）を含む。前記ケースは、フロントケース１１１とリアケース１１２とから構成される。フロントケース１１１とリアケース１１２との間に形成された空間には、各種電子部品が内蔵される。フロントケース１１１とリアケース１１２との間には、１つ又は複数の中間ケースをさらに配置することもできる。
【００２８】
前記ケースは、合成樹脂を射出して形成してもよく、金属材質、例えばステンレススチール（ＳＴＳ）又はチタン（Ｔｉ）などで形成してもよい。
【００２９】
本体１１０、とりわけフロントケース１１１には、ディスプレイ部１１３、音響出力モジュール１１４、カメラ１１５、ユーザ入力部１１６などが配置される。
【００３０】
ディスプレイ部１１３は、フロントケース１１１の主面の大部分を占める。
【００３１】
ディスプレイ部１１３は、視覚情報や画像情報を表示するためのものであって、液晶ディスプレイ（ＬＣＤ）、薄膜トランジスタ液晶ディスプレイ（ＴＦＴ−ＬＣＤ）、有機発光ダイオード（ＯＬＥＤ）、フレキシブルディスプレイ、及び３次元ディスプレイの少なくとも１つを含む。ディスプレイ部１１３は、ユーザのタッチによる情報入力を可能にするために、タッチパッドを含んでもよい。この場合、ディスプレイ部１１３はタッチスクリーンとして動作する。
【００３２】
ディスプレイ部１１３には、様々な種類の視覚情報が表示される。これらの情報は文字、数字、記号、グラフィック、又はアイコンなどの形で表示される。
【００３３】
このような情報入力のために、前記文字、数字、記号、グラフィック、又はアイコンの少なくとも１つを所定の配列を有するように表示することにより、キーパッドの形で実現してもよい。このようなキーパッドはいわゆる「ソフトキー」と呼ばれる。
【００３４】
ディスプレイ部１１３は、全領域で作動するようにしてもよく、複数の領域に分けられて作動するようにしてもよい。後者の場合、前記複数の領域同士が連携して作動するように構成してもよい。
【００３５】
ユーザ入力部１１６は、携帯電子機器１００の動作を制御するための命令の入力を受けるためのものであって、複数の操作ユニット１１６ａ、１１６ｂを含む。操作ユニット１１６ａ、１１６ｂは、操作部ともいい、触知式（tactile manner）であればいかなる方式も採用可能である。
【００３６】
操作ユニット１１６ａ、１１６ｂは、キーパッド、ドームスイッチ、タッチパッド（静圧／静電）、ジョグホイール、ジョグスイッチなどで実現できる。
【００３７】
操作ユニット１１６ａ、１１６ｂにより入力される内容は様々に設定できる。例えば、開始、終了などの命令は第１操作ユニット１１６ａにより入力され、スクロールなどの命令又は音響出力モジュール１１４から出力される音響のボリューム調整などの命令は第２操作ユニット１１６ｂにより入力されるようにする。
【００３８】
ディスプレイ部１１３の両端部のうち一端部に隣接する領域には、音響出力モジュール１１４及びカメラ１１５が配置される。音響出力モジュール１１４は、レシーバ又はスピーカの形で実現してもよい。カメラ１１５は、回転又はポップアップ可能に本体１１０に設置してもよい。
【００３９】
また、本体１１０の内部には、ディスプレイ部１１３及びユーザ入力部１１６を制御する制御装置が配置される。前記制御装置はプリント基板で実現できる。
【００４０】
図２は、図１の携帯電子機器１００の背面斜視図である。
【００４１】
携帯電子機器１００の本体１１０の背面には、音響出力モジュールをさらに配置してもよい。前記音響出力モジュールは、フロントケース１１１の音響出力モジュール１１４（図１参照）と共にステレオ機能の実現、そして通話時にはスピーカフォンモードの実現のために用いられる。
【００４２】
携帯電子機器１００の本体１１０の側面には、無線通信又は放送信号受信用アンテナを配置してもよい。前記アンテナは、携帯電子機器１００の本体１１０から引き出し可能に設置してもよい。
【００４３】
同図に示すように、携帯電子機器１００の本体１１０には、マイク１１７などが備えられる。マイク１１７は、ディスプレイ部１１３において音響出力モジュール１１４が配置される一端部とは異なる端部に隣接する領域に配置される。
【００４４】
フロントケース１１１及びリアケース１１２の側面には、接続ポート１１８などが配置される。接続ポート１１８は、外部機器からデータを受信したり、供給される電源を携帯電子機器１００内部の各構成要素に伝達したり、携帯電子機器１００内部のデータを外部機器に送信するためのものである。
【００４５】
例えば、接続ポート１１８は、有線又は無線でイヤホンを接続するための接続端子、近距離通信のためのポート（例えば、赤外線ポート（IrDA port）、ブルートゥースポート、無線ランポートなど）、又は携帯電子機器１００に電源を供給するための電源供給端子の少なくとも１つである。接続ポート１１８は、加入者識別モジュール（Subscriber Identity Module；ＳＩＭ）又はユーザ識別モジュール（User Identity Module；ＵＩＭ）、情報を保存するためのメモリカードなどの外付けカードを収容するカードソケットであってもよい。
【００４６】
携帯電子機器１００の本体１１０には、携帯電子機器１００に電源を供給するための電源供給部が取り付けられる。前記電源供給部は、内蔵バッテリであって、本体１１０の内部に内蔵される。
【００４７】
同図に示すように、リアケース１１２の一面には締結要素１２１が外部に露出する。締結要素１２１は、例えば本体１１０に内蔵される一部材又はフロントケース１１１をリアケース１１２に結合するものであり、ボルト、ピンなどであってもよい。前記一部材は、例えばプリント基板、射出物などである。締結要素１２１は、磁性体からなり、これを介してマグネットの磁気力による引力を受ける。
【００４８】
図３は、図１の携帯電子機器１００に拡張モジュール２００を取り付ける様子を示す組立図である。
【００４９】
同図を参照すると、携帯電子機器１００には、拡張モジュール２００が着脱可能に結合される。拡張モジュール２００は、携帯電子機器１００に電源を供給する外部バッテリであってもよく、これを図３に示す。拡張モジュール２００は、携帯電子機器１００に電気的に接続され、携帯電子機器１００の電子部品に電源を供給し、携帯電子機器１００の内蔵バッテリを充電するようになっている。
【００５０】
携帯電子機器１００のリアケース１１２にはガイド溝１２２が備えられ、拡張モジュール２００の主面にはガイド溝１２２に整合する形状を有するガイド突起２０２が備えられる。これにより、拡張モジュール２００の携帯電子機器１００への取り付け位置が決定される。
【００５１】
拡張モジュール２００は、拡張本体２１０と、マグネット２２１と、移動メカニズム２３０とを含む。
【００５２】
拡張本体２１０は、携帯電子機器１００の本体１１０の一面に着脱可能に結合され、外部からの充電が可能になっており、携帯電子機器１００に電源を供給するように形成される。
【００５３】
図示のように、携帯電子機器１００のリアケース１１２は、拡張モジュール２００が携帯電子機器１００に結合されると、拡張モジュール２００の一面、より具体的には拡張本体２１０の主面を覆うように形成される。拡張本体２１０は、フロントケース２１１及びリアケース２１２により電子部品の内蔵空間を形成する。拡張本体２１０のフロントケース２１１が携帯電子機器１００のリアケース１１２に取り付けられることにより、締結要素１２１が遮蔽される。締結要素１２１は、複数備えられ、携帯電子機器１００のリアケース１１２のコーナー付近にそれぞれ配置される。
【００５４】
マグネット２２１は、拡張本体２１０に備えられ、拡張本体２１０が携帯電子機器１００の本体１１０に結合されると締結要素１２１に磁気力を加えるように、締結要素１２１と対応して配置される。従って、拡張モジュール２００が携帯電子機器１００に結合されると、磁気力により拡張モジュール２００が固定される。ただし、本発明は、これに限定されるものではなく、締結要素１２１とは別の磁性体がマグネット２２１と対応する位置に配置されるようにしてもよい。
【００５５】
移動メカニズム２３０は、前記磁気力を緩和するように、操作によってマグネット２２１を締結要素１２１と反対方向（締結要素１２１から遠ざかる方向）に移動させるようになっている。マグネット２２１と締結要素１２１とにより強い磁気力で固定された拡張モジュール２００を携帯電子機器１００から分離するには、ユーザの大きな力が必要である。この場合、移動メカニズム２３０は、マグネット２２１を締結要素１２１から離隔させて磁気力を緩和することにより、ユーザが拡張モジュール２００をより容易に分離できるようにする。
【００５６】
同図に示すように、マグネット２２１は、複数の締結要素１２１に対応するように複数備えられ、複数のマグネット２２１の一部のみ移動メカニズム２３０と連携されている。例えば、拡張モジュール２００のフロントケース２１１の一辺に隣接するマグネット２２１ａ、２２１ｂのみ移動メカニズム２３０により移動し、他の辺に隣接するマグネット２２１ｃ、２２１ｄはフロントケース２１１に固定される。
【００５７】
以下、拡張モジュール２００の詳細構成について説明する。図４は、図３の拡張モジュール２００の部分分解図であり、図５は、図４のプロファイル部材の拡大図であり、図６Ａ〜図６Ｃは、図３の携帯電子機器と拡張モジュール２００の着脱を示す部分断面図であり、図７は、図３の移動メカニズムの平面図である。
【００５８】
同図に示すように、拡張モジュール２００には、マグネット２２１がスライドするように形成されるスライドガイド部２４０が備えられる。スライドガイド部２４０は、マグネットケース２４１と中空体２４２とを含む。
【００５９】
マグネットケース２４１は、第１ケース２４１ａと第２ケース２４１ｂとを含み、第１ケース２４１ａ及び第２ケース２４１ｂはマグネット２２１が内蔵される空間を形成する。
【００６０】
中空体２４２は、拡張本体２１０に取り付けられ、内周に沿ってマグネットケース２４１が締結要素１２１に近づく方向又は締結要素１２１から遠ざかる方向にスライドするように形成される。より具体的には、マグネットケース２４１は、中空体２４２に挿入され、中空体２４２の内周面によりガイドされて中空体２４２の軸方向にスライドする。本実施形態においては、中空体２４２が別途の部品として拡張モジュール２００のフロントケース２１１に取り付けられることを示すが、拡張モジュール２００のフロントケース２１１と一体に形成してもよい。
【００６１】
図６Ａに示すように、スライドガイド部２４０は弾性部材２４３をさらに含む。弾性部材２４３は、マグネットケース２４１を締結要素１２１から遠ざかる方向に付勢するように、マグネットケース２４１の少なくとも一部を支持する。より具体的には、弾性部材２４３はコイルばねを含み、前記コイルばねは、マグネットケース２４１の外周を囲むように配置され、前記コイルばねの一端は中空体２４２の一部を支持し、前記コイルばねの他端はマグネットケース２４１の端部を支持する。
【００６２】
図６Ａは、携帯電子機器１００と拡張モジュール２００が分離された様子を示し、マグネットケース２４１は、弾性部材２４３により拡張本体２１０の内部に向かって付勢されることにより、中空体２４２又はフロントケース２１１から突出しないように配置される。
【００６３】
図６Ｂは、携帯電子機器１００に拡張モジュール２００が取り付けられた様子を示し、マグネット２２１と締結要素１２１間の磁気力によりマグネット２２１が締結要素１２１に向かってスライドし、マグネットケース２４１と締結要素１２１が当接する。これにより、拡張モジュール２００は携帯電子機器１００のリアケース１１２に固定される。
【００６４】
リアケース１１２には、締結要素１２１が挿入される挿入孔１２３が形成される。挿入孔１２３は、貫通方向に段差を有するように形成される。これにより、挿入孔１２３内には、締結要素１２１の頭部が収容される収容部１２４が形成される。図示のように、マグネット２２１とマグネットケース２４１の少なくとも一方は、携帯電子機器１００に拡張モジュール２００が結合されると、少なくとも一部が挿入孔１２３に挿入される。これにより、携帯電子機器１００と拡張モジュール２００の結合がより強固になる。また、図６Ｂにおいては、マグネットケース２４１の一部が挿入孔１２３に挿入されることを示すが、マグネット２２１の少なくとも一部が挿入孔１２３に挿入されるようにしてもよい。
【００６５】
図４及び図７を参照すると、移動メカニズム２３０は、操作ボタン２３１と、回転生成部２５０と、スライド生成部２６０とを含む。
【００６６】
操作ボタン２３１は、拡張本体２１０の一面に配置され、ユーザの操作によって拡張本体２１０の側面に沿ってスライド可能に形成される。
【００６７】
回転生成部２５０は、操作ボタン２３１の操作によってマグネット２２１を回転させるようになっている。より具体的には、回転生成部２５０は、回転板２５１と接続バー２５２とを含む。
【００６８】
回転板２５１は、操作ボタン２３１のスライドにより回転するように、外周の少なくとも一部が操作ボタン２３１と接続される。例えば、回転板２５１の外周から突起部２５１ａが突出し、突起部２５１ａは操作ボタン２３１の操作溝２３１ａに挿入される。操作ボタン２３１がスライドすると、操作溝２３１ａの内面が突起部２５１ａを加圧し、これにより回転板２５１には回転力が加えられる。
【００６９】
接続バー２５２は、マグネット２２１に回転力を伝達するように、一端は回転板２５１と接続され、他端はマグネット２２１を内蔵するマグネットケース２４１と接続される。例えば、接続バー２５２は、回転板２５１の外周に隣接する部分と接続され、回転板２５１の回転によりマグネットケース２４１を引くか又は押す。図４に示すように、マグネットケース２４１の外面には、マグネット２２１の半径方向に接続突起２４１ｃが突出し、接続突起２４１ｃは接続バー２５２と接続される。より具体的には、接続突起２４１ｃは第１ケース２４１ａに形成され、第２ケース２４１ｂには接続突起２４１ｃが挿入されるように溝が形成される。
【００７０】
接続バー２５２が接続突起２４１ｃを引くか又は押すと、マグネットケース２４１は中空体２４２の中空部の内周に沿ってマグネット２２１の軸を中心に回転する。
【００７１】
図４、図５、及び図７を参照すると、スライド生成部２６０は、マグネット２２１が回転すると、前記回転の軸方向にマグネット２２１をスライドさせるように形成される。スライド生成部２６０は、突起２６１とプロファイル部材２６２とを含む。
【００７２】
突起２６１は、マグネットケース２４１の外周から突出し、複数備えてもよい。複数の突起２６１ａ、２６１ｂ、２６１ｃは、接続突起２４１ｃと共に特定の間隔で第１ケース２４１ａの外周上に配置され、第２ケース２４１ｂには、突起２６１ａ、２６１ｂ、２６１ｃが挿入されるように、複数の溝が形成される。
【００７３】
図７に示すように、突起２６１は、プロファイル部材２６２に収容される。プロファイル部材２６２は、突起２６１が回転するとマグネットケース２４１がマグネット２２１の回転軸方向にスライドするように、マグネットケース２４１の外周に沿って傾斜して形成される。図５に示すように、プロファイル部材２６２は、中空体２４２の開口と隣接する面に形成される。例えば、プロファイル部材２６２は、中空体２４２と一体に形成され、中空体２４２の貫通方向に段差を有し、高さが中空体２４２の貫通方向に次第に増加又は減少するように形成される。これにより、突起２６１の回転運動はマグネットケース２４１のスライド運動に変わる。
【００７４】
図６Ｃを参照すると、接続バー２５２の移動により、マグネットケース２４１が回転し、マグネットケース２４１は締結要素１２１から遠ざかる方向に移動する。このとき、弾性部材２４３は、マグネットケース２４１を付勢し、マグネット２２１の移動をサポートする。マグネットケース２４１の移動は締結要素１２１とマグネット２２１間の磁気力を弱め、ユーザは拡張モジュール２００を携帯電子機器１００からより容易に分離することができる。
【００７５】
以下、携帯電子機器と拡張モジュールの電気的接続について説明する。図８Ａ〜図８Ｃは、本発明の他の実施形態による携帯電子機器を示す断面図及び拡大図である。本実施形態においては、以上の実施形態と同じ構成に関する説明は以上の説明を援用する。
【００７６】
図８Ａ〜図８Ｃに示すように、携帯電子機器の本体３１０の一面には接続領域３７０が形成され、拡張モジュールの拡張本体４１０には、本体３１０に拡張本体４１０が結合されると接続領域３７０と電気的に接続される拡張接続領域４７０が配置される。
【００７７】
接続領域３７０は環状に形成され、内部に締結要素３２１が配置される。接続領域３７０は、締結要素３２１の外周を囲むように形成されることによって露出が小さくなる。締結要素３２１は複数備えられ、接続領域３７０は複数の締結要素３２１のいずれか１つを囲むように形成される。より具体的には、図８Ａ及び図８Ｂに示すように、リアケースには締結要素３２１が挿入される挿入孔３２３が形成され、接続領域３７０は挿入孔３２３の開口を限定するように形成される。
【００７８】
図８Ａ及び図８Ｃに示すように、拡張接続領域４７０は、マグネット４２１を囲むように形成される。マグネット４２１は複数備えられ、拡張接続領域４７０は、接続領域３７０に対応するように、複数のマグネット４２１のいずれか１つを囲むように形成される。
【００７９】
図８Ａ〜図８Ｃを参照すると、接続領域３７０及び拡張接続領域４７０には、それぞれ本体３１０と拡張本体４１０間のデータ及び／又は電源の入出力のためのインタフェースが配置される。前記インタフェースは接続端子３７１、４７１を含み、接続端子３７１、４７１は、本体３１０に拡張本体４１０が結合されると互いに付勢するように、端部が接続領域３７０及び拡張接続領域４７０から突出する。例えば、接続領域３７０の接続端子３７１はポゴピンにし、拡張接続領域４７０の接続端子４７１はＣクリップにしてもよい。
【００８０】
図８Ａ及び図８Ｃに示すように、マグネットケース４４１の一面には突条４４４が形成され、締結要素３２１には突条４４４に対応する溝３２１ａが備えられる。例えば、マグネットケース４４１の外部に露出する面上には突条４４４が突出形成され、締結要素３２１とマグネット４２１間の磁気力によりマグネットケース４４１がスライドすると、突条４４４が溝３２１ａに挿入される。これにより、携帯電子機器と拡張モジュールはより強固に結合される。
【００８１】
図９Ａ及び図９Ｂは、本発明のさらに他の実施形態による携帯電子機器を示す拡大図である。
【００８２】
本実施形態においては、同図に示すように、携帯電子機器のリアケース５１２に接続部５８０が形成され、接続部５８０は、接続端子５８１と遮蔽部５８２とを含む。
【００８３】
接続端子５８１は、携帯電子機器の本体の一面から突出して拡張本体（図示せず）と電気的に接続され、遮蔽部５８２は、接続端子５８１を囲むように形成され、接続端子５８１を遮蔽する状態と接続端子５８１を露出させる状態の間でスライドするように形成されている。例えば、遮蔽部５８２は、弾性的にスライドするように構成され、携帯電子機器に拡張モジュールが取り付けられると、図９Ｂのように、拡張モジュールのフロントケースにより加圧され、接続端子５８１を露出させるようにスライドする。
【００８４】
本実施形態においては、接続部５８０が締結要素から離隔している場合を示すが、本発明はこれに限定されるものではない。例えば、前述した接続領域３７０（図８Ｂ参照）に接続部５８０を形成してもよい。この場合、接続領域３７０の接続端子は、外部から遮蔽されるように形成され、拡張接続領域４７０（図８Ｃ参照）により遮蔽部５８２が加圧移動すると、外部に露出して拡張接続領域４７０の接続端子と電気的に接続される。
【００８５】
図１０は、本発明のさらに他の実施形態による携帯電子機器を示す組立図である。
【００８６】
本実施形態において、拡張モジュール８００は、支持台８１０と入力装置８２０とを含む。
【００８７】
支持台８１０は、携帯電子機器７００が結合されるように形成される。支持台８１０には、以上の実施形態で説明したマグネット、スライドガイド部、及び移動メカニズムを備えてもよい。
【００８８】
入力装置８２０は、支持台８１０と交差する方向に配置され、携帯電子機器７００に制御命令を入力するようになっている。操作ボタン８３１は、支持台８１０の一側面、例えば横方向の側面に配置される。携帯電子機器７００と拡張モジュール８００の電気的接続は、データ交換のためのインタフェースにより実現することができ、この場合、インタフェースにより携帯電子機器７００に電源を供給することができる。
【００８９】
図１１Ａ及び図１１Ｂは、本発明のさらに他の実施形態による携帯電子機器を示す斜視図及び組立図である。
【００９０】
本実施形態においては、携帯電子機器として無線通信が可能な移動端末機を例に挙げて説明する。本発明による移動端末機１０は、後述するストレート型に限定されるものではなく、スライド型、折り畳み型、スイング型などの様々な構造に適用可能である。
【００９１】
移動端末機１０は、フロントケース１１にディスプレイ部１３が形成され、リアケース１２に着脱式バッテリ１４が取り付けられる。着脱式バッテリ１４が前記実施形態で説明した拡張モジュールとなる。
【００９２】
リアケース１２には締結要素（図示せず）が取り付けられる。バッテリ１４にはマグネット（図示せず）がスライド可能に取り付けられ、マグネットが締結要素に貼り付けられることによって、バッテリ１４がリアケース１２に結合される。バッテリ１４の一側には操作ボタン１６が備えられ、操作ボタン１６が操作されると、前記実施形態で説明したスライドガイド部及び移動メカニズムにより、マグネットが締結要素から遠ざかる。これにより、バッテリ１４をリアケース１２から容易に分離することができる。
【００９３】
本発明による携帯電子機器は、前記実施形態の構成と方法に限定されるものではなく、各実施形態の全部又は一部を選択的に組み合わせて構成することで様々に変形することができる。
【符号の説明】
【００９４】
１００、７００    携帯電子機器
１１０    本体
１１１    フロントケース
１１２    リアケース
１１３    ディスプレイ部
１２１    締結要素
１２３    挿入孔
２００、８００    拡張モジュール
２１０    拡張本体
２１１    フロントケース
２１２    リアケース
２２１    マグネット
２３０    移動メカニズム
２３１、８３１    操作ボタン
２４０    スライドガイド部
２４１    マグネットケース
２４１ｃ    接続突起
２４２    中空体
２４３    弾性部材
２５０    回転生成部
２５１    回転板
２５２    接続バー
２６０    スライド生成部
２６１    突起
２６２    プロファイル部材
３７０    接続領域
３７１    接続端子
４７０    拡張接続領域
４７１    接続端子
５８０    接続部
５８１    接続端子
５８２    遮蔽部
８１０    支持台
８２０    入力装置
【図１】
2011187043.tif 000003
【図２】
2011187043.tif 000004
【図３】
2011187043.tif 000005
【図４】
2011187043.tif 000006
【図５】
2011187043.tif 000007
【図６Ａ】
2011187043.tif 000008
【図６Ｂ】
2011187043.tif 000009
【図６Ｃ】
2011187043.tif 000010
【図７】
2011187043.tif 000011
【図８Ａ】
2011187043.tif 000012
【図８Ｂ】
2011187043.tif 000013
【図８Ｃ】
2011187043.tif 000014
【図９Ａ】
2011187043.tif 000015
【図９Ｂ】
2011187043.tif 000016
【図１０】
2011187043.tif 000017
【図１１Ａ】
2011187043.tif 000018
【図１１Ｂ】
2011187043.tif 000019